(57)【特許請求の範囲】
【請求項１】
浴室内に設置して温風の吹き出しにて浴室内の暖房や乾燥を行う浴室暖房乾燥機であって、ハウジング内に加熱手段や送風手段が内装されると共に電源部や制御部としての回路ブロックが内装され、この回路ブロックが２個の回路部に分割され、各回路部が一面を開口せるケース部内に基板部が内装されると共にケース部内に充填したポッティング剤にて基板部が埋設されて形成され、一方の回路部が開口部が下を向くようにしてハウジング内の回路収納空所に挿入され、他方の回路部が開口部が後面側を向くようにして回路収納空所の前面側に配置されると共にこの他方の回路部のケース部からハウジングの設置用リブにビスのような固着具が打入されることで他方の回路部が設置用リブに取り付けられ、他方の回路部のケースに設けた固定用リブが一方の回路部のケース部に係止されたことを特徴とする浴室暖房乾燥機。
【請求項２】
上記他方の回路部に表示部が設けられたことを特徴とする請求項１記載の浴室暖房乾燥機。
【請求項３】
上記他方の回路部とハウジングとの間にサーミスタのような別部品が挟持されたことを特徴とする請求項１記載の浴室暖房乾燥機。
【発明の詳細な説明】
【０００１】
【発明の属する技術分野】
本発明は、浴室内を暖房・乾燥室として機能させるために浴室内に設置する浴室暖房乾燥機に関するものである。
【０００２】
【従来の技術】
この種の浴室暖房乾燥機としては、ハウジング内に熱交換器のような加熱手段や、ファンのような送風手段や、これらを制御する回路部を内装して形成されている。この浴室暖房乾燥機は浴室内で壁面等に取着され、温水等を循環する循環パイプが熱交換器のような加熱手段に接続され、送風手段で風を加熱手段を介して送ることで温風を発生し、温風を浴室内に送って暖房や乾燥を行うようになっている。
【０００３】
【発明が解決しようとする課題】
しかし上記のような従来例にあっては、回路部は内部への水分の混入を考慮すると、回路部全体を密閉型にする必要があり、また配線の接続を考慮すると回路部を一体化する必要があった。よって、回路部自体が大型化し、回路部を設置するための設置スペースが広く必要となり、ハウジングの寸法が大きくなり、浴室暖房乾燥機の設置スペースに制約を生じる等の問題があった。また回路部が故障した場合、回路部全体を交換する必要があり、交換費用が高くなるという問題があった。
【０００４】
本発明は叙述の点に鑑みてなされたものであって、回路部の設置に要するスペースを狭くし、また回路部に結露や浸水等が発生しやすい高温多湿な環境においても回路不良を防止し、さらに故障した回路部だけを交換することが可能となるようにすることを課題とする。
【０００５】
【課題を解決するための手段】
上記課題を解決するために本発明の浴室暖房乾燥機は、浴室内に設置して温風の吹き出しにて浴室内の暖房や乾燥を行う浴室暖房乾燥機であって、ハウジング内に加熱手段や送風手段が内装されると共に電源部や制御部としての回路ブロックが内装され、この回路ブロックが２個の回路部に分割され、各回路部が一面を開口せるケース部内に基板部が内装されると共にケース部内に充填したポッティング剤にて基板部が埋設されて形成され、一方の回路部が開口部が下を向くようにしてハウジング内の回路収納空所に挿入され、他方の回路部が開口部が後面側を向くようにして回路収納空所の前面側に配置されると共にこの他方の回路部のケース部からハウジングの設置用リブにビスのような固着具が打入されることで他方の回路部が設置用リブに取り付けられ、他方の回路部のケースに設けた固定用リブが一方の回路部のケース部に係止されたことを特徴とするものである。回路ブロックが２個の回路部に分割されたことと、回路部が完全密閉するもののように大型にならないことにより、回路部の設置にスペースを要しなくなり、ハウジングを小型にして浴室暖房乾燥機の大きさを小さくして浴室暖房乾燥機の浴室への設置に制約を受けないようになる。また回路部が一面を開口せるケース部内に基板部が内装されると共にケース部内に充填したポッティング剤にて基板部が埋設されて形成されただけのものであっても、一方の回路部がケース部の開口部が下を向くように設置されると共に他方の回路部が開口部が後面側を向くように設置されたことにより、回路部に結露や浸水等が発生しやすい高温多湿な環境下で回路不良を防止できる。また回路ブロックを２個の回路部に分割したことにより、故障した回路部のみを交換することが可能になり、安価に修理が可能となる。また回路ブロックが２個の回路部に分割され、一方の回路部がハウジングと他方の回路部とで支持固定されたことにより、一方の回路部の固定に専用の固定部材を要しないようにできる。
【０００６】
また上記他方の回路部に表示部が設けられたことを特徴とすることも好ましい。この場合、他方の回路部に表示部を設けたことで一方の回路部の設置場所に制限がなくなり、省スペースに設置可能となるためハウジングの大きさも小型化が可能となる。
【０００７】
また上記他方の回路部とハウジングとの間にサーミスタのような別部品が挟持されたことを特徴とすることも好ましい。この場合、サーミスタのような別部品を固定するための専用部材を形成する必要がなくなると共にサーミスタのような別部品を抜けないように確実に取り付けることができる。
【０００８】
【発明の実施の形態】
浴室暖房乾燥機Ａは図４乃至図７に示すようにハウジング１内に加熱手段となる熱交換器２や送風手段として循環ファンブロック３や電源部や制御部としての回路ブロック４を内装して形成されている。循環ファンブロック３はモータ５とクロスフローファン６とによって形成されている。ハウジング１の正面には吸い込み口７や吐き出し口８を有するグリル板９が装着されており、グリル板９の吸い込み口７には着脱自在に吸い込み口用フィルター１０が装着されており、グリル板９の吐き出し口８には吐き出しルーバー１１が装着されている。この浴室暖房乾燥機Ａは浴室１２内で壁面１３の上部に設置されており、浴室１２の壁面１３や天井１４に沿って温水の循環パイプ１５や電源線１６が配置され、循環パイプ１５や電源線１６の端部が図３に示すように浴室暖房乾燥機Ａのハウジング１内に導入されている。循環パイプ１５は熱交換器２に接続されており、電源線１６は回路ブロック４に接続されている。
【０００９】
熱交換器２には温水パイプがあり、循環パイプ１５から供給される温水が循環している。循環ファンブロック３の駆動により浴室１２内の空気は図１２に示すようにグリル板９の吸い込み口７から吸い込まれると共に吐き出し口８から浴室１２内に吐き出されるが、吸い込み口７から吸い込まれて熱交換器２を通過する際に熱交換器２より放熱された熱によって空気が暖まり、吐き出し口８より温風が吐き出され、浴室１２内が暖房したり乾燥したりされる。
【００１０】
ハウジング１内に内装される回路ブロック４は２つの回路部４ａ，４ｂに分割してある。回路部４ａは図８に示すように一面を開口せるケース部１８内に基板部１９を内装し、ケース部１８内にポッティング剤２０を充填してポッティング剤２０で基板部１９を埋設して形成してある。回路部４ｂは図９に示すように一面を開口せるケース部２１内に基板部２２を内装し、ケース部２１内にポッティング剤２３を充填してポッティング剤２３で基板部２２を埋設して形成されている。回路部４ｂの場合、ポッティング剤２３で電子部品を完全に覆うようになっている。ハウジング１の内の一方の側部で上面に近い位置には図１０（ａ）に示すように前面を開口せる回路収納空所２４を設けてあり、この回路収納空所２４内に回路部４ａを挿入してある。このとき回路部４ａのケース部１８の開口が下を向くように回路部４ａが配置される。つまり、図８の矢印の方向が下向きになるように配置してある。回路収納空所２４の両側には設置用リブ２５が設けられており、回路部４ｂのケース部２１の開口を後面側に向けて回路部４ｂが設置用リブ２５の前面に当接するように回路収納空所２４の前面側に配置され、回路部４ｂのケース部２１の縁部から設置用リブ２５にビスのような固着具２６を打入することで回路部４ｂは設置用リブ２５に取り付けられる。回路部４ｂのケース部２１には複数の固定用リブ２７が設けられており、回路部４ｂを設置用リブ２５に取り付けた状態で固定用リブ２７は回路部４ａのケース部１８に係止し、回路部４ａがハウジング１と固定用リブ２７とで挟持するように固定される。回路部４ｂのケース部２１の前面側には浴室暖房乾燥機Ａの動作状態を表示する表示部２８が設けてある。この表示部２８はＬＥＤ等で電源やエラーを点灯表示するものである。また設置用リブ２５には図１１に示すように固定用リブ２９が設けられており、固定用リブ２９の端部には略Ｕ字状の切り欠き３０が設けられており、この切り欠き３０に別部品としてのサーミスタ３１が嵌合されており、これにより、回路部４ｂとハウジング１とでサーミスタ３１を挟持するように固定されている。
【００１１】
【発明の効果】
本発明の請求項１の発明は、叙述のように回路ブロックが２個の回路部に分割され、各回路部が一面を開口せるケース部内に基板部が内装されると共にケース部内に充填したポッティング剤にて基板部が埋設されて形成され、一方の回路部が開口部が下を向くようにしてハウジング内の回路収納空所に挿入され、他方の回路部が開口部が後面側を向くようにして回路収納空所の前面側に配置されると共にこの他方の回路部のケース部からハウジングの設置用リブにビスのような固着具が打入されることで他方の回路部が設置用リブに取り付けられ、他方の回路部のケースに設けた固定用リブが一方の回路部のケース部に係止されたものであって、回路ブロックが２個の回路部に分割されたことと、回路部が完全密閉するもののように大型にならないことにより、回路部の設置にスペースを要しなくなり、ハウジングを小型にして浴室暖房乾燥機の大きさを小さくして浴室暖房乾燥機の浴室への設置に制約を受けないようにできるものであり、また回路部が一面を開口せるケース部内に基板部が内装されると共にケース部内に充填したポッティング剤にて基板部が埋設されて形成されただけのものであっても、一方の回路部がケース部の開口部が下を向くように設置されると共に他方の回路部が開口部が後面側を向くように設置されたことにより、回路部に結露や浸水等が発生しやすい高温多湿な環境下で回路不良を防止できるものであり、さらに回路ブロックを２個の回路部に分割したことにより、故障した回路部のみを交換することが可能になり、安価に修理が可能となるものであり、また回路ブロックが２個の回路部に分割され、一方の回路部がハウジングともう他方の回路部とで支持固定されたので、一方の回路部の固定に専用の固定部材を要しないようにできるものである。
【００１２】
また本発明の請求項２の発明は、上記他方の回路部に表示部が設けられたものであって、他方の回路部に表示部を設けたことで一方の回路部の設置場所に制限がなくなり、省スペースに設置可能となるためハウジングの大きさも小型化が可能となるものである。
【００１３】
また本発明の請求項３の発明は、上記他方の回路部とハウジングとの間にサーミスタのような別部品が挟持されたので、サーミスタのような別部品を固定するための専用部材を形成する必要がなくなると共にサーミスタのような別部品を抜けないように確実に取り付けることができるものである。
【図面の簡単な説明】
【図１】本発明の浴室暖房乾燥機の実施の形態の一例の内部の構造の要部を示す正面図である。
【図２】同上の浴室暖房乾燥機を浴室内に設置した状態の斜視図である。
【図３】同上の浴室暖房乾燥機に循環パイプや電源線を導入する部分の断面図である。
【図４】同上の浴室暖房乾燥機の内部の構造を示す正面図である。
【図５】同上の浴室暖房乾燥機の側面から見た断面図である。
【図６】同上の浴室暖房乾燥機の全体を示し、（ａ）は正面図、（ｂ）は底面図である。
【図７】同上の浴室暖房乾燥機の分解斜視図である。
【図８】同上の一方の回路部を示す断面図である。
【図９】同上の他方の回路部を示す断面図である。
【図１０】（ａ）は同上の回路部を取り付ける状態を示す分解斜視図、（ｂ）は回路部を取り付けた状態の斜視図である。
【図１１】同上のサーミスタを取り付ける状態の斜視図である。
【図１２】同上の浴室暖房乾燥機の動作を説明する断面図である。
【符号の説明】
Ａ  浴室暖房乾燥機
１  ハウジング
２  熱交換器
３  循環ファンブロック
４  回路ブロック
４ａ  回路部
４ｂ  回路部
１８  ケース部
１９  基板部
２０  ポッティング剤
２１  ケース部
２２  基板部
２３  ポッティング剤
３１  サーミスタ
【図１】
0003581489.tif 000002
【図２】
0003581489.tif 000003
【図３】
0003581489.tif 000004
【図４】
0003581489.tif 000005
【図５】
0003581489.tif 000006
【図６】
0003581489.tif 000007
【図７】
0003581489.tif 000008
【図８】
0003581489.tif 000009
【図９】
0003581489.tif 000010
【図１０】
0003581489.tif 000011
【図１１】
0003581489.tif 000012
【図１２】
0003581489.tif 000013